(57)【要約】【課題】フック部をハンガーバーに回り止めして掛止することにより、物品を、物品吊支部の定位置に見栄えよく吊支しうるようにするとともに、吊支する物品の向きを、異なる２方向に簡単に変更しうるようにする。【解決手段】ハンガーバー１６に掛止しうる下向きＵ字状のフック部２と、その下端に連設された物品吊支部４とを備えるハンガー装置において、フック部２の上部に、側方に突出し、かつ先端部がハンガーバー１６の側面に当接することにより、フック部２を回り止めするようにした振れ止め片５を設ける。【選択図】  図６
2012024290.tif 000002
【特許請求の範囲】
【請求項１】
ハンガーバーに掛止しうる下向きＵ字状のフック部と、その下端に連設された物品吊支部とを備えるハンガー装置において、前記フック部の上部に、側方に突出し、かつ先端部が前記ハンガーバーの側面に当接することにより、前記フック部を回り止めするようにした振れ止め片を設けたことを特徴とするハンガー装置。
【請求項２】
フック部に、その両側方に突出する１対の振れ止め片を設けた請求項１記載のハンガー装置。
【請求項３】
フック部と振れ止め片とが、平面視十字状をなすようにした請求項２記載のハンガー装置。
【請求項４】
物品吊支部を、左右１対の吊支片を備えるものとし、両吊支片を結ぶ直線に対して、フック部及び振れ止め片が、平面視において約４５°の傾斜角度をもって交差するようにした請求項１〜３のいずれかに記載のハンガー装置。
【請求項５】
各吊支片を正面視倒立Ｕ字状とするとともに、その頂部に、上方に開口する下向きの凹部を設けた請求項４記載のハンガー装置。
【発明の詳細な説明】
【技術分野】
【０００１】
本発明は、例えばデパートやスーパーマーケット、コンビニエンスストア等の店舗において、商品等を陳列したり、または一般家庭において、小物物品を吊支して乾かしたり、保管したりするのに用いられるハンガー装置に関する。
【背景技術】
【０００２】
この種のハンガー装置は、例えば特許文献１〜４に記載されているように、ロッド状のハンガーバーやハンガー掛けに上方より掛止可能な下向き鉤状のフック部と、その下端に連設された物品吊支部とからなるものが一般的であり、物品吊支部は、吊支する物品に適した形状とされている。
【先行技術文献】
【特許文献】
【０００３】
【特許文献１】実公平４−４５５７２号公報
【特許文献２】実公平５−２１７７４号公報
【特許文献３】特開平１０−２３４６４３号公報
【特許文献４】特開平１１−１８８９１号公報
【発明の概要】
【発明が解決しようとする課題】
【０００４】
上記特許文献１〜４に記載されているハンガー装置のように、ハンガーバー等に上方より掛止可能な下向きＵ字状のフック部を有するものにおいては、ハンガーバーの外径がフック部の内径よりも小さいと、フック部及びそれに連設された物品吊支部が、ハンガーバーを中心として水平回動し易くなる。
【０００５】
このようになると、物品吊支部に吊支した物品の位置が変ってしまうため、例えば店舗において、複数のハンガー装置の物品吊支部に商品等を吊支して陳列する際に、商品同士が不揃いとなり、見栄えが悪くなる。
また、上記各特許文献のハンガー装置においては、いずれも、物品の吊支形態を変えることができないため、商品等を陳列する際の向きは一方向、例えば正面のみに限られる。このため、商品等の陳列が画一的となって陳列効果が低く、例えば、顧客が陳列商品を異なる方向からも見て選別したいときなどに、それができないため、商品の購買意欲にも影響する。
この問題に対処するためには、フック部に、物品吊支部を角度変更可能に連結すればよいが、このようにすると、連結部の構造が複雑となり、また合成樹脂により一体成形したりできなくなるので、コスト高となる。
【０００６】
本発明は、上記問題点に鑑みてなされたもので、フック部をハンガーバーに回り止めして掛止することにより、物品を、物品吊支部の定位置に見栄えよく吊支しうるようにするとともに、吊支する物品の向きを、異なる複数方向に簡単に変更しうるようにして、物品の陳列効果等を高めうるようにしたハンガー装置を提供することを目的としている。
【課題を解決するための手段】
【０００７】
本発明によると、上記課題は、次の各項のようにして解決される。
（１）ハンガーバーに掛止しうる下向きＵ字状のフック部と、その下端に連設された物品吊支部とを備えるハンガー装置において、前記フック部の上部に、側方に突出し、かつ先端部が前記ハンガーバーの側面に当接することにより、前記フック部を回り止めするようにした振れ止め片を設ける。
【０００８】
このような構成とすると、フック部をハンガーバーに掛止するだけで、フック部及びその下端に連設された物品吊支部を簡単に回り止めすることができるので、例えば店舗において、商品を、複数のハンガー装置の定位置に整然と並べて見栄えよく陳列することができる。
また、振れ止め片を、ハンガーバーの一方の側面に当接する位置から、他方の側面に当接する位置に変更することにより、フック部をハンガーバーに、複数の方向に向けて掛止しうるので、物品吊支部に吊支した物品の向きを、異なる方向に簡単に変更することができる。従って、例えば店舗等において商品を吊支して陳列する際などに、その陳列効果を高めて購買意欲を増大させることができる。
しかも、フック部と物品吊支部とを、角度変更可能に連結したりすることなく、商品の向きを変更しうるので、構造が簡単であり、さらにハンガー装置全体を、合成樹脂等により一体的に、かつ安価に製造することができる。
【０００９】
（２）上記(１)項において、フック部に、その両側方に突出する１対の振れ止め片を設ける。
【００１０】
このような構成とすると、ハンガーバーの両側面に、フック部の対向する部分と１対の振れ止め片とにより、４点で当接させうるので、フック部及び物品吊支部の回り止め効果が大となる。
【００１１】
（３）上記(２)項において、フック部と振れ止め片とが、平面視十字状をなすようにする。
【００１２】
このような構成とすると、ハンガーバーに対し、フック部を平面視約４５°の傾斜角度をもって２方向に選択的に掛止することにより、物品吊支部に物品を、約９０°異なる方向に選択して吊支することができる。
【００１３】
（４）上記(１)〜(３)項のいずれかにおいて、物品吊支部を、左右１対の吊支片を備えるものとし、両吊支片を結ぶ直線に対して、フック部及び振れ止め片が、平面視において約４５°の傾斜角度をもって交差するようにする。
【００１４】
このような構成とすると、ハンガーバーに対し、フック部を平面視約４５°の傾斜角度をもって２方向に選択的に掛止することにより、物品吊支部に物品を、例えば正面向きと側面向きとに、約９０°異ならせて吊支することができる。従って、店舗等において、ハンガー装置に商品を吊支して陳列する際の陳列効果が高まり、購買意欲を増大させることができる。
【００１５】
（５）上記(４)項において、各吊支片を正面視倒立Ｕ字状とするとともに、その頂部に、上方に開口する下向きの凹部を設ける。
【００１６】
このような構成とすると、各吊支片に、靴等のつま先部分を上方より挿入して簡単に吊支しうるとともに、凹部に、サンダル等の鼻緒を掛止して吊支することができる。
【発明の効果】
【００１７】
本発明によれば、フック部をハンガーバーに掛止するだけで、フック部及びその下端に連設された物品吊支部を簡単に回り止めすることができるので、例えば店舗等において、商品を、複数のハンガー装置の定位置に整然と並べて見栄えよく陳列することができる。
また、振れ止め片を、ハンガーバーの一方の側面に当接する位置から、他方の側面に当接する位置に変更することにより、フック部をハンガーバーに、複数の方向に選択して掛止しうるので、物品吊支部に吊支した物品の向きを異なる方向に簡単に変更することができる。
【図面の簡単な説明】
【００１８】
【図１】本発明のハンガー装置の一実施形態の正面図である。
【図２】同じく、側面図である。
【図３】同じく、平面図である。
【図４】同じく、斜視図である。
【図５】同じく、本発明のハンガー装置を、被吊支物品が正面を向くようにして、ハンガーバーに掛止したときの側面図である。
【図６】同じく、被吊支物品が側面を向くように掛止したときの側面図である。
【図７】図５のＶＩＩ−ＶＩＩ線拡大横断平面図である。
【図８】ハンガーバーに、ハンガー装置を、物品が正面を向くように掛止したときの斜視図である。
【図９】同じく、物品が側面を向くように掛止したときの斜視図である。
【発明を実施するための形態】
【００１９】
以下、本発明の実施形態を、図面に基づいて説明する。
図１〜図４に示すように、本発明のハンガー装置１は、下向きＵ字形をなす平板状のフック部２と、その一方の下端に連設された角軸状の垂直吊支杆３と、この垂直吊支杆３の下端に連設された物品吊支部４とを備え、それらは、合成樹脂により一体成形されている。
【００２０】
フック部２の頂部付近、すなわち垂直吊支杆３の中心の延長線と交差する部分の両側面には、フック部２と直交するように側方に突出し、かつ先端部が、後記するハンガーバー１６の両側面に当接しうるように下向き円弧状をなす１対の振れ止め片５、５が連設されている。図３に示すように、フック部２と両振れ止め片５、５とは、平面視において十字状に交差している。なお、両振れ止め片５、５の延出長さ、及び先端部におけるハンガーバー１６の両側面と当接する部分の対向面間の寸法は、ハンガーバー１６の直径に応じて定めるのがよい。
【００２１】
物品吊支部４は、垂直吊支杆３の下端から前方に突出する前向片６と、その前端より左右両側方に突出する横向片７と、この横向片７の両側端より後方に向かって突出する左右１対のロッド状の後向片８、８と、両後向片８、８の後端より起立し、かつ正面視倒立Ｕ字状をなすように外側方に向かって湾曲する左右対称をなす１対の吊支片９、９とからなっている。両吊支片９、９の頂部には、上方に開口する正面視Ｕ字状の凹部１０、１０が形成されている。
吊支片９により、靴１２のつま先部分が、また凹部１０により、図示しないサンダル等の鼻緒が、それぞれ上方より挿入して吊支されるようになっている。
【００２２】
図２及び図３に示すように、左右の吊支片９、９の遊端下部は、前向きに折曲され、それらの前向折曲部９ａ、９ａの前端と、左右の後向片８、８の前後方向の中間部とには、支持片１１、１１が内向きにほぼ対向するように突設されている。両支持片１１、１１により、サンダル等のソール部が掛止されるようになっている。
【００２３】
図３に示すように、フック部２及び両振れ止め片５、５は、左右の吊支片９、９を結ぶ左右方向の直線Ｌに対して、平面視約４５°の傾斜角度をもって交差するようにしてある。
【００２４】
図５〜図９は、上記実施形態のハンガー装置１により、店舗等において、靴１２を２つの異なる吊支形態で陳列する例を示している。
図５及び図８は、靴１２を、商品陳列什器１３に対し正面向きとして陳列する例を示し、この際には、商品陳列什器１３の横杆１４に掛止された吊支金具１５の前方を向くハンガーバー１６に、フック部２を、その基部側が斜め前方を向き、遊端部側が斜め後方を向くように、平面視ほぼ斜め４５°に傾斜させて掛止する。これにより、フック部２と直交する方向を向く１対の振れ止め片５、５の先端部が、ほぼ４５°の傾斜角度でハンガーバー１６を跨ぐようにして、その両側面と当接または近接する。
【００２５】
そのため、図７に示すように、フック部２の対向部と、両振れ止め片５、５の対向部とが、ハンガーバー１６の両側面と当接または近接することにより、ハンガーバー１６に対し、フック部２及びそれに連設された物品吊支部４が回り止めされる。
また、上述したように、フック部２及び両振れ止め片５、５は、左右の吊支片９、９を結ぶ左右方向の直線Ｌに対して、平面視約４５°の傾斜角度をもって交差するようにしてあるので、左右の吊支片９、９は、商品陳列什器１３と平行をなすように保持される。
従って、この状態で両吊支片９に靴１２のつま先部分を挿入して吊支することにより、靴１２を正面に向けて陳列することができ、かつ物品吊支部４は回り止めされているので、複数の靴１２を、複数のハンガー装置１の定位置に整然と並べて見栄えよく陳列することができる。
【００２６】
図６及び図９は、靴１２を、上記と９０°異ならせた、すなわち商品陳列什器１３に対し側面向きとして陳列した例を示し、この際には、ハンガーバー１６に、フック部２を、上記とは９０°回転させた向き、すなわち、基部側が斜め後方を向き、遊端部側が斜め前方を向くように、平面視ほぼ斜め４５°に傾斜させて掛止すればよい。この際、１対の振れ止め片５、５が、上記とは９０°反対向きとなって、ハンガーバー１６の両側面に当接または近接するので、上述と同様に、フック２及びそれに連設された物品吊支部４が回り止めされ、靴１２を、側面向きに整然と並べて見栄えよく陳列することができる。
【００２７】
以上説明したように、上記実施形態のハンガー装置によると、フック部２の向きを変えてハンガーバー１６に掛け替えるだけで、物品吊支部４に吊支した物品の向きを、異なる２方向に簡単に変更することができ、かつ同時に回り止めもなされる。従って、フック部２と物品吊支部４とを角度変更可能に連結したりする必要がないので、ハンガー装置１の構造が簡単となり、合成樹脂により一体的に、かつ安価に製造することができる。
【００２８】
本発明のハンガー装置は、上記実施形態に限定されるものではない。
上記実施形態においては、物品である靴１２を、９０°異なる吊支形態で吊支しうるように、フック部２と振れ止め片５、５を平面視十字状とし、かつそれらを、左右の吊支片９、９を結ぶ左右方向の直線Ｌに対して、平面視ほぼ４５°の傾斜角度をもって交差するようにしてあるが、物品を９０°以外の例えば３０°毎の異なる複数方向に向けて吊支する際には、複数の振れ止め片５を、フック部２の片面に対して斜めに突出させたり、左右の吊支片９、９を結ぶ直線Ｌに対するフック部２及び振れ止め片５の傾斜角度を、４５°より大または小としたりすることもある。
【００２９】
また、上記実施形態では、１対の振れ止め片５、５を有するものとしたが、１個でも回り止めは可能であるので、いずれか一方の振れ止め片５を省略して実施することもある。この場合には、フック部２と１個の振れ止め片５とを、平面視Ｙ字状としてもよい。
【００３０】
さらに、図示の実施形態では、吊支片９の遊端を横向杆７よりも下位となるように、下方に長く延出させているが、横向杆７より上方の位置で終端させてもよい。
【００３１】
物品吊支部４の形状は、吊支する物品に対応して適宜に変更してもよいことは勿論である。
【符号の説明】
【００３２】
１  ハンガー装置
２  フック部
３  垂直吊支杆
４  物品吊支部
５  振れ止め片
６  前向片
７  横向片
８  後向片
９  吊支片
９ａ前向折曲部
１０  凹部
１１  支持片
１２  靴
１３  商品陳列什器
１４  横杆
１５  吊支金具
１６  ハンガーバー
Ｌ  直線
【図１】
2012024290.tif 000003
【図２】
2012024290.tif 000004
【図３】
2012024290.tif 000005
【図４】
2012024290.tif 000006
【図５】
2012024290.tif 000007
【図６】
2012024290.tif 000008
【図７】
2012024290.tif 000009
【図８】
2012024290.tif 000010
【図９】
2012024290.tif 000011